(57)【要約】【課題】  例えば紙おむつ収容用の包装袋には、一般にループ状の吊持テープ（一対ある）が取付けられているが、このループ状吊持テープは、包装袋本体の外形部分より大きくはみ出しているので、邪魔になったり見映えが悪くなっていた。【解決手段】  前面シート部１１の上端部及び後面シート部１２の上端部に、それぞれテープ挿通部２を形成し、該各テープ挿通部２内にそれぞれ吊持テープ３を挿通させ、各吊持テープ３の両端部３１を包装袋本体の側縁ヒートシール部１４を共用して熱固着し、各テープ挿通部２に切欠部２２を形成して、該各切欠部２２から吊持テープ３の中央部付近を引き出し得るようにしていることにより、普段は各吊持テープ３が袋外形からはみ出さなくなるとともに、吊持テープ３を持ち手として使用するときに袋上部をコンパクトに引き締め得るようにしている。【選択図】  図２
2006117251.tif 000002
【特許請求の範囲】
【請求項１】
前面シート部（１１）と後面シート部（１２）とをそれらの両側縁部でヒートシール（１４，１４）するとともに、物品収容状態で略直方体形状に膨形する包装袋であって、
前記前面シート部（１１）の上端部及び前記後面シート部（１２）の上端部に、それぞれ横長袋状のテープ挿通部（２，２）を形成し、
該各テープ挿通部（２，２）内にそれぞれ持ち手となる吊持テープ（３，３）を挿通させ、
該各吊持テープ（３，３）のそれぞれ両端部（３１，３１）を、前記前面シート部（１１）と後面シート部（１２）の各側縁部に前記各ヒートシール（１４，１４）を共用して熱固着し、
前記各テープ挿通部（２，２）のそれぞれ長さ方向中央位置に前記各吊持テープ（３，３）の一部（３２，３２）を露出させる切欠部（２２，２２）を形成して、該各切欠部（２２，２２）からそれぞれ吊持テープ（３，３）の長さ方向中央部付近を引き出し得るようにしている、
ことを特徴とする包装袋。
【請求項２】
請求項１において、
各吊持テープ（３，３）のそれぞれ両端部（３１，３１）の近傍位置を、前後各シート部（１１，１２）の両側縁部の各ヒートシール（１４，１４）とは別にテープ挿通部（２，２）に対して熱固着（３３，３４）させている、
ことを特徴とする包装袋。
【発明の詳細な説明】
【技術分野】
【０００１】
本願発明は、例えば紙おむつや生理用品（生理用ナプキン）のような物品を複数枚まとめて収容するもので、物品収容状態で略直方体形状となる包装袋に関するものである。
【背景技術】
【０００２】
例えば、紙おむつは、所定の複数枚（例えば３０〜６０枚）を圧縮した状態で包装袋に収容して店頭販売されている。又、このような包装袋には、持ち運びのための持ち手が形成されている。
【０００３】
この種の包装袋の公知例として、図７に示すものがある。尚、この図７の包装袋は、特許文献１（特開２００３−９５３３７号公報）に示されるものである。
【０００４】
図７に示す公知の包装袋は、前面シート部１１と後面シート部１２と該前後両シート部１１，１２に連続する天面シート部１３とを有し、前面シート部１１と後面シート部１２の各側縁部同士をヒートシール（符号１４，１４）するとともに、前面シート部１１と後面シート部１２の各下方部分で底面シート部を形成することにより、包装袋本体１を構成している。
【０００５】
又、包装袋本体１の上部（前面シート部１１及び後面シート部１２の各上部）には、天面シート部１３を囲繞するようにして小高さのリブ１６，１６が形成されており、この各リブ１６，１６の内面にそれぞれループ状の吊持テープ１７，１７を取付けている。尚、包装袋本体１内への物品収容は、包装袋本体１の底面側から行い、物品収容後に底面シート部を閉塞する。
【０００６】
図７の包装袋は、包装袋本体１内に物品（複数枚の紙おむつ）を収容した状態（物品包装体）では略直方体形状に膨形し、その物品包装体を自立姿勢で店頭に陳列できるようになっている。又、この物品包装体の購入者は、両吊持テープ１７，１７を握って該物品包装体を持ち運びできる。尚、天面シート部１３に点線表示している部分は、開口形成用のミシン目加工部１８で、該ミシン目加工部１８を引き裂くと物品（紙おむつ）取り出し用の開口を開放できる。
【０００７】
【特許文献１】特開２００３−９５３３７号公報
【発明の開示】
【発明が解決しようとする課題】
【０００８】
ところで、上記した図７の包装袋において、各吊持テープ１７，１７は物品包装体を持ち運ぶために握持するものであるが、この公知の包装袋（特に、各吊持テープ１７，１７）には、次のような欠点があった。
【０００９】
(1) 各吊持テープ１７，１７は、常時包装袋本体１から大きくはみ出しているので、陳列状態で見映えが悪い。
【００１０】
(2) 各吊持テープ１７，１７が包装袋本体１に対してビラビラしているので、この物品包装体を陳列棚に出し入れする際に該吊持テープ１７が邪魔になり、ときには該吊持テープ１７が他の物品に引っ掛かるおそれがある。
【００１１】
(3) 吊持テープ１７，１７は、単に物品包装体を持ち運ぶときの持ち手となるだけで、該吊持テープ１７，１７が他の機能（例えば物品包装体をコンパクトにする機能）をもつことがない。
【００１２】
(4) 包装袋本体１内への物品収容作業は包装機で行われるが、その包装工程において各吊持テープ１７，１７が包装機の各部位に引っ掛かり易くなる（補修のための包装作業の中断が多くなる）。又、物品包装完了後の製品搬送時に吊持テープ１７が装置に引っ掛かったり、物品包装体を段ボール箱に梱包する際に吊持テープ１７が段ボール箱からはみ出したりすることもある。
【００１３】
本願発明は、上記した従来の包装袋（特に吊持テープ部分）の問題点に鑑み、吊持テープ付きの包装袋であっても、物品包装工程で吊持テープが邪魔にならず、且つ製品陳列状態で吊持テープによる見映えが悪くならないようにでき、しかも吊持テープに持ち手以外の機能をもたせる（例えば製品のコンパクト化に寄与する）ことができるようにした包装袋を提供することを目的としている。
【課題を解決するための手段】
【００１４】
本願発明は、上記課題を解決するための手段として次の構成を有している。尚、本願発明は、例えば紙おむつや生理用品のような物品を複数枚まとめて収容するのに適した包装袋を対象にしている。
【００１５】
本願請求項１の発明
本願請求項１の発明の包装袋は、図１〜図６に例示するように、前面シート部１１と後面シート部１２とをそれらの両側縁部でヒートシールするとともに、物品収容状態で略直方体形状に膨形するようになっている。
【００１６】
そして、この請求項１の包装袋は、前面シート部１１の上端部及び後面シート部１２の上端部に、それぞれ所定小高さ範囲だけ横長袋状に折返してなるテープ挿通部２，２を形成し、該各テープ挿通部２，２内にそれぞれ持ち手となる吊持テープ３，３を挿通させ、該各吊持テープ３，３のそれぞれ両端部３１，３１を、前面シート部１１と後面シート部１２の各側縁部に各ヒートシール１４，１４を共用して熱固着し、各テープ挿通部２，２のそれぞれ長さ方向中央位置に各吊持テープ３，３の一部を露出させる切欠部２２，２２を形成して、該各切欠部２２，２２からそれぞれ吊持テープ３，３の長さ方向中央部付近を引き出し得るようにしていることを特徴としている。
【００１７】
前面シート部１１及び後面シート部１２には、ポリエチレンやポリプロピレン等の熱溶着するプラスチックシートが使用されており、各吊持テープ３，３にも熱溶着可能なプラスチックテープが使用されている。
【００１８】
そして、前面シート部１１の上端部及び後面シート部１２の上端部をそれぞれ折返し、所定小高さ（例えば上端から３〜４cmの高さ）だけ下がった位置をそれぞれヒートシールして、該前面シート部１１の上端部及び後面シート部１２の上端部にそれぞれ横長袋状のテープ挿通部２，２を形成している。この各テープ挿通部２，２内には、それぞれ吊持テープ３，３が挿通されているが、この各吊持テープ３，３のそれぞれ両端部３１，３１は、前後両シート部１１，１２の各側縁ヒートシール１４，１４部分を共用して熱固着している。
【００１９】
各吊持テープ３，３の中央部は、各テープ挿通部２，２の中央部に形成している各切欠部２２，２２から露出しており、その各露出部（吊持テープ中央部）３２，３２を握って引き出すことができるようになっている。
【００２０】
ところで、この包装袋は、その包装袋本体内に物品を収容する前（図１の状態）でも、該包装袋本体内に物品を収容した後（図２の状態）でも、各テープ挿通部２，２が伸長している状態（縮んでいない状態）では、各吊持テープ３，３も該テープ挿通部２，２に沿って伸長しており、吊持テープ３の一部がテープ挿通部２の切欠部２２から露出しているものの、吊持テープ３が包装袋本体の外形（前面シート部１１及び後面シート部１２の各上端部）からはみ出すことはない。
【００２１】
従って、この包装袋内に物品を収容する際に各吊持テープ３，３が邪魔にならず（装置の各部位に引っ掛からない）、又、物品収容後に包装袋が略直方体形状に膨形していても、各吊持テープ３，３は邪魔にならない。
【００２２】
他方、物品収容状態（図２の状態）において、各吊持テープ３，３の露出部３２，３２を握って引き出すと、図６に示すように、各吊持テープ３，３の各端部３１，３１を固着している袋上部の両側縁部（ヒートシール１４，１４部分）が中央側に引き寄せられて、各吊持テープ３，３の露出部３２，３２が切欠部２２，２２からループ状に引き出され、該両ループ状露出部３２，３２を片手で同時に握持できるようになる。又、このとき各テープ挿通部２，２は長さ方向に縮んで、この包装袋の上部外周部が縮径されるようになっている。
【００２３】
本願請求項２の発明
本願請求項２の発明は、上記請求項１の包装袋において、各吊持テープ３，３のそれぞれ両端部３１，３１の近傍位置を、前後各シート部１１，１２の両側縁部の各ヒートシール１４，１４とは別にテープ挿通部２，２に対して熱固着させていることを特徴としている。
【００２４】
この請求項２の発明は、各吊持テープ３，３のそれぞれ両端部３１，３１の固定を確実にするものである。即ち、上記請求項１では、各吊持テープ３，３の両端部３１，３１をそれぞれ前後各シート部１１，１２の各側縁ヒートシール１４，１４部分で共用して熱固着しているが、該各側縁ヒートシール部１４，１４は比較的細幅（例えば１〜１.５mm幅程度）であり、且つ吊持テープ３の端部３１を含めてヒートシールしているので、吊持テープ３の引き出し時に、該吊持テープ３の露出部３２を過剰に強く引っ張ったときには、該側縁ヒートシール部１４による熱固着部分が剥がれる恐れがある。
【００２５】
そこで、この請求項２の発明では、各吊持テープ３，３の両端部の近傍位置において、上記側縁ヒートシール部１４とは別に、テープ挿通部２に対して熱固着させている。尚、このテープ挿通部２に対する吊持テープ端部近傍の熱固着部分は、１箇所づつでもよいし
複数箇所（２箇所）づつにしてもよい。
【発明の効果】
【００２６】
本願請求項１の発明の効果
本願請求項１の発明の包装袋には、次のような効果がある。
【００２７】
即ち、この請求項１の包装袋では、袋上部に形成している各テープ挿通部２，２内にそれぞれ吊持テープ３，３を挿通させているが、この各吊持テープ３，３は、包装袋上部が伸長している状態では該包装袋の外形からはみ出すことなく収まっているので、
(1) この包装袋で物品を包装する包装工程において、各吊持テープ３，３が包装機の各部位に引っ掛かりにくくなり、包装時のトラブルが少なくなって包装作業がスムーズに且つ確実に行える、
(2) 物品包装後の物品包装体（製品）の状態で各吊持テープ３，３が袋外形からはみ出さないので、包装機からの搬送工程、段ボール箱に梱包する梱包工程等においても吊持テープ３が邪魔にならない（搬送工程、梱包工程がスムーズに且つ確実に行える）、
(3) 商品陳列状態で吊持テープ３が袋外形内に収まっているので、見映えがよくなる（従来のループ状の吊持テープでは、袋外に垂れ下がって見映えが悪い）、
等の効果がある。
【００２８】
又、この請求項１の包装袋では、この包装袋で包装した物品包装体を購入して持ち帰る際には各吊持テープ３，３の中央部を引き出すが、このとき包装袋の上部外周部が引き寄せられて縮径するので、物品包装体の上部寄り部分を引き締めてコンパクトにできるという付加価値を付与できる。
【００２９】
さらに、各吊持テープ３，３のそれぞれ両端部３１，３１は、袋の側縁ヒートシール部１４，１４を共用して袋側縁部に固着させているので、該側縁ヒートシール部１４を吊持テープ端部３１の固定用として有効利用できるという効果もある。
【００３０】
本願請求項２の発明の効果
本願請求項２の発明は、上記請求項１の包装袋において、各吊持テープ３，３のそれぞれ両端部３１，３１の近傍位置を、前後各シート部１１，１２の両側縁部の各ヒートシール１４，１４とは別に、テープ挿通部２，２に対して熱固着させている。
【００３１】
上記請求項１のように、吊持テープ端部３１を上記側縁ヒートシール部１４のみで固定したものでは、その吊持テープ端部３１の固着強度にやや難点があるが、この請求項２のように吊持テープ端部３１付近を側縁ヒートシール部１４とは別に熱固着させていると、該吊持テープ端部の固着強度が強固となり、上記請求項１の効果に加えて、吊持テープ３を手荒く引っ張っても吊持テープ端部３１が剥がれることがない、という効果がある。
【実施例】
【００３２】
図１〜図６を参照して本願の好適な実施例を説明すると、図１には内部に物品を収容する前の包装袋を示し、図２〜図６には図１の包装袋内に物品４を収容した後の物品包装体を示している。尚、この実施例では、袋内に収容される物品４として紙おむつが採用されているが、該物品４の種類は特に限定するものではない。
【００３３】
この実施例の包装袋は、前面シート部１１と後面シート部１２と天面シート部１３を有する１枚物のシートで包装袋本体１を形成している。この種の包装袋のシート材としては、一般にポリエチレンやポリプロピレン等のプラスチックシートが採用されるが、熱溶着可能なシートであれば適宜のもの（例えば不織布シート）が採用可能である。
【００３４】
図１の包装袋では、前面シート部１１の上端部と後面シート部１２の上端部間に天面シート部１３をガセット折りした状態で挟み込み、それらの両側縁部をヒートシール１４，１４することによって包装袋本体１を形成している。尚、図１の包装袋は、内部に収容される物品の種類、数量等によって大きさ・形状が変わるが、図示例の包装袋では偏平状態での左右幅及び高さがそれぞれ４０〜４５cm程度となっている。又、図１の状態では、底部は物品収容用の開口１５のままとなっているが、包装袋内に物品を収容した後、底部シート部を折畳んで開口１５を閉塞する。
【００３５】
前面シート部１１及び後面シート部１２の各上端部には、それぞれ横長袋状のテープ挿通部２，２が形成されている。この各テープ挿通部２，２は、図５に拡大図示するように前面シート部１１及び後面シート部１２の各上端部を下方に折返し、その折返し部の上端から所定小高さ（例えば上端から３〜４cmの高さ）だけ下がった位置をそれぞれヒートシール２１，２１して、その上部に横長袋状の中空部を形成したものである。この各テープ挿通部２，２は、前面シート部１１及び後面シート部１２のそれぞれ左右方向の全幅に亘って形成されている。尚、図４及び図５においては、作図上、各シート材の厚さを厚く表示しているが、実際にはフイルム状の薄いものである。
【００３６】
この各テープ挿通部２，２内には、それぞれ吊持テープ３，３が挿通されている。この各吊持テープ３，３は、上記包装袋本体１のシート材と熱溶着可能な、例えば高密度ポリエチレンや高密度ポリプロピレン等のプラスチックテープで形成されている。又、この各吊持テープ３，３は、幅が１０〜３０mm、厚さが１００〜３００μｍ程度で伸縮性がほとんどないものが使用されている。
【００３７】
そして、この各吊持テープ３，３は、それぞれ各テープ挿通部２，２内に挿通させた状態で、該各吊持テープ３，３のそれぞれ両端部３１，３１を上記包装袋本体１の各側縁部において各側縁ヒートシール部１４，１４で共用して熱固着させているとともに、各吊持テープ３，３のそれぞれ両端部３１，３１の近傍位置をそれぞれテープ挿通部２，２に対して別のヒートシール部３３，３４で熱固着させている。吊持テープ３の各端部３１，３１の固着は、包装袋本体１の各側縁ヒートシール部１４，１４だけでも可能であるが、該側縁ヒートシール部１４は比較的固着力が弱いので、吊持テープ端部３１の近傍位置を別にヒートシール（符号３３，３４）して補強することが好ましい。この補強用のヒートシールは、この実施例では各吊持テープ端部３１につきそれぞれ２箇所づつ（円形ヒートシール部３３と直線状ヒートシール部３４）行っているが、１箇所づつでもよい。又、この各ヒートシール部３３，３４の形状は、図示例の円形、直線状のほかに、ハート形やその他のデザイン性のあるものにしてもよい。尚、各ヒートシール部１４，２１，３３，３４は、図４及び図５において黒く塗り潰して表示している。
【００３８】
各テープ挿通部２，２の中央部には、各吊持テープ３，３の中央部を露出させるための切欠部２２，２２が形成されている。この各切欠部２２，２２の形成範囲は、特に限定するものではないが１０〜１５cm程度が適当である。尚、各側の切欠部２２，２２は、前後に対向する位置にある。
【００３９】
そして、各側の吊持テープ３，３の中央部は、各側の切欠部２２，２２から露出しており、その各露出部３２，３２を握って引き出せば、各吊持テープ３，３の中央部を各切欠部２２，２２からループ状に引き出すことができるようになっている（図６参照）。尚、吊持テープ３には、複数種類の色付きテープを使用し、この包装袋に収容される物品（例えば、紙おむつ）のサイズによって特定の色の吊持テープを使用することで、該吊持テープに収容物品のサイズの識別機能をもたせるようにすることができる。
【００４０】
ところで、この包装袋は、その包装袋本体１内に物品４を収容する前（図１の状態）でも、包装袋本体１内に物品４を収容した後（図２〜図６の状態）でも、各テープ挿通部２，２が伸長している状態（縮んでいない状態）では、各吊持テープ３，３も該テープ挿通部２，２に沿って伸長しており、吊持テープ３が包装袋本体１の外形（前面シート部１１及び後面シート部１２の各上端部）からはみ出すことはない。
【００４１】
従って、図１の状態（物品収容前の状態）の包装袋では、該包装袋内に物品を収容する際に各吊持テープ３，３が邪魔にならず（吊持テープ３，３が装置の各部位に引っ掛からない）、包装工程がスムーズに且つ確実に行える。又、包装袋内に所定数の物品４を収容すると、図２に示すように包装袋が略直方体形状に膨形するが、その膨形状態になっても、各吊持テープ３，３は包装袋本体１の外形からはみ出さないので、該吊持テープ３，３が邪魔にならず、且つ見映えが悪くならない。
【００４２】
他方、物品収容状態（図２の状態）において、各吊持テープ３，３の露出部３２，３２を握って引き出すと、図６に示すように、各吊持テープ３，３の各端部３１，３１を固着している袋上部の両側縁部（ヒートシール１４，１４部分）が中央側に引き寄せられて、各吊持テープ３，３の露出部３２，３２が切欠部２２，２２からループ状に引き出される。この状態では、該両ループ状露出部３２，３２を片手で同時に握持できる。又、このとき各テープ挿通部２，２は長さ方向に縮んで、この包装袋の上部外周部が縮径され、物品包装体の上部が引き締められてコンパクトになる。
【００４３】
又、物品包装体の上部を強く引き締めるために、吊持テープ３を強く引くと、吊持テープ端部３１の固着部分に強い引っ張り作用が働くが、この実施例では、吊持テープ３の端部３１の近傍位置において、側縁ヒートシール部１４とは別にヒートシールにより熱固着（符号３３，３４）させているので、吊持テープ端部３１の固着部分が不用意に剥がれることがない。
【図面の簡単な説明】
【００４４】
【図１】本願実施例の物品収容前の包装袋の斜視図である。
【図２】図１の包装袋内に物品を収容した物品包装体の斜視図である。
【図３】図２の物品包装体の拡大平面図である。
【図４】図２のIV−IV拡大断面図である。
【図５】図２のＶ−Ｖ拡大断面図である。
【図６】図２の物品包装体から吊持テープを引き締めた状態の斜視図である。
【図７】公知（特許文献１）の包装袋の斜視図である。
【符号の説明】
【００４５】
１は包装袋本体、２はテープ挿通部、３は吊持テープ、１１は前面シート部、１２は後面シート部、１３は天面シート部、１４はヒートシール部、２２は切欠部、３１は吊持テープの端部、３２は吊持テープの露出部、３３，３４はヒートシール部である。
【図１】
2006117251.tif 000003
【図２】
2006117251.tif 000004
【図３】
2006117251.tif 000005
【図４】
2006117251.tif 000006
【図５】
2006117251.tif 000007
【図６】
2006117251.tif 000008
【図７】
2006117251.tif 000009